(57)【要約】      （修正有）【課題】標準長さ寸法の円筒管を積み重ねる方式の外殻内を、短円筒の回転を芯触れなく行わせるため、外殻を断面真円の円筒状にして、その内周を基準として、その同心円上に乗降籠が正確に移動するようにして昇降を円滑化する。【解決手段】短円筒Ｔの芯振れ防止のために、外殻１を真円筒管とし、その設置には鋼管或いはプラスチック管等で適正標準長さのものと任意適正短尺のものを積載する。その外殻の積載ズレを防ぐために長円筒の外殻内外面を挟み込むために適正計画ピッチでベアリング取り付け穴２を設けた帯鉄もしくは適正角鋼管を垂直に設けて、ベアリング３の締め付けと同時に緊締積載する。外殻を断面真円の円筒にしたことによって任意箇所に芯振れ防止ベアリングＧをＸＹ方向から介入させて、短円筒の回転の芯振れを防止して安定させる。【選択図】図１Ａ
2011102188.tif 000002
【特許請求の範囲】
【請求項１】
標準高さと短尺高さの断面真円の円筒を必要高さに積み重ねて外殼としその内周に適正垂直列に適正ピッチでベアリング内輪穴を設けて適正寸法のベアリングを装着するについて水平垂直方向に雌ネジ状にし、これにネジ嵌合する外形を雄ネジ状に成型した短円筒を挿入してこれを回転して昇降させ、これにローラーを介して取り付けた乗降籠を上下させる構造のエレベーターにおいて短円筒の回転芯振れを防止するため適正数端部に垂直方向に転動する芯振れ防止ベアリングを介入させた誘導バーをＸＹ方向から乗降籠もしくは短円筒フレームに取り付け、断面真円の円筒の内周基準で上下させ、乗降籠にローラーを介するか短円筒フレームを介して装着した短円筒を回転するためのモーターの軸の芯ぶれを防止するように外殼円筒の内周を長尺真円状にしたネジ嵌合で上下する自走式エレベーター。
【請求項２】
請求項１のエレベターにおいて適正数の開口ドアーを設けて、乗降用及び緊急時の脱出用にして、短円筒がドア内壁に存在する時点のみにロックが開閉可能にすると共に開口時点で電源がＯＦＦしてすべての電気機能が停止するようにして安全を確保したネジ嵌合で上下する自走式エレベーター。
【請求項３】
請求項１のエレベターにおいて外殻内部のベアリング列には乗降籠に回り止めを兼ねたベアリングカバーを設けその他ドアー取り付け部等外殻内壁には段差等の突起物は皆無として安全を確保したネジ嵌合で上下する自走式エレベーター。
【請求項４】
請求項１のエレベーターの短円筒フレームを設け、更にベアリング列位置に適正角鋼材を設けて上下させる構造のものについては、外殻を挟み込む帯鉄を排除し外殻全周を排除すると共に、その長円筒真円の外殻内径の描く軌跡円上に適正幅の帯鉄を、角形垂直鋼材の背面に密着して設け、鋼材より幅出しした部分を内径基準面としてそれに芯振れ防止ベアリングを接触回動するよう短円筒フレーム及び乗降籠柱に設けて、外殻真円筒の真円全周を設けることを排除したネジ嵌合で上下する自走式エレベーター。
【発明の詳細な説明】
【技術分野】
【０００１】標準長さと短尺の真円筒を必要高さまで積載して外殻とし、その内周の中央部に外形雄ネジ状に成型した短円筒を設定し、外殻の内壁に雌ネジ状に配列して垂直列に取り付けた適正径の無給油型シールドベアリングに短円筒がネジ嵌合するようにして、短円筒にスラストベアリング或いはコロ等を介するか、短円筒フレームを介して且つ回り止めを施した乗降籠を取り付け、これに取りつけたブレーキ付き減速機モーターによって、短円筒を回転させて、乗降籠を昇降させてエレベータとするについて、短円筒の回転軸の芯振れを、外殻長円筒の内周を基準に防止するようにした自走式エレベーターに関するものである。。
【背景技術】
【０００２】  本発明は出願人本人の特許２０７１８５６号及び実用新案登録第３１５０４１２号を改良したもので、従来のエレベーターの、乗降籠の内室と外殻の２重扉の構造を廃して外殻内を乗降籠が上下する所謂垂直エスカレーターの構成とするものであるが、外殻を真円筒状にすることによって、外殻の同芯円上で芯触れなく短円筒を回動する事を目しており出願人本人の先願のものは、隣接するベアリング外輪列間に係合板を設けることによって垂直柱ベアリングの外輪側面に密着スライドさせて回転中心を保持しようとしているがその精度保持が不安定で、工作設置が難しかったのを外殻を断面真円の円筒にすることによって解消したものである。
【先行技術文献】
【特許文献】
【０００３】  ネジ嵌合状態で昇降する自走式エレベーターは世界的に皆無で出願人本人がＰＣＴ出願で既に登録されている。【特許文献１】出願人本人の特許第２０７１８５６号実用新案登録第３１５０４１２
【発明の概要】
【発明が解決しようとする課題】
【０００４】  ネジ嵌合して上下する短円筒が芯振れなく回動して上下し得ることを優先課題としその他、安全確保として・ドアーが開いたとき電源ＯＦＦ・昇降籠が外殻ドアーの内部に到達して停止しないかぎりドアーはロックされて開かない・外部からの呼び出し機能・緊急停止時機能・並列設置したエスカレータ内を最上階最下階で短尺円筒を設けて乗用籠を含む内機を循環する機能等である。
【課題を解決するための手段】
【０００５】短円筒の芯振れ防止のために、外殻を真円筒管とし、その設置には鋼管或いはプラスチック管等で適正標準長さのものと任意適正短尺のものを積載する方法を採用する。その外殻の積載ズレを防ぐために長円筒の外殻内外面を挟み込むために適正計画ピッチでベアリング取り付け穴を設けた帯鉄もしくは適正角鋼管を垂直に設けて、ベアリングの締め付けと同時に緊締積載する方法を採用し、短円筒の回転芯振れ防止には外殻円筒を垂直に転動する芯振れ防止ベアリングを両端部に設けた直径バーを任意のＸＹ方向に設けて乗降籠もしくは短円筒フレームに取り付けるが、そのため乗降籠の天井板と床板の結合柱及び短円筒フレームの垂直結合柱を活用してそれに適正数芯振れ防止ベアリングを取り付けても良い。
【発明の効果】
【０００６】複数のベアリングが同時脱落しない限り事故となり得ないし、ドアの開閉は電気遮断と通電を意味しているため過失事故は起こり得ない。また停止位置の自動停止装置が不具合の場合も上死点下死点でベアリング上を同位置で回転を続けるだけで安全である。また機械室を必要としないため移動設置も頗る簡易で用途は広い等本来の利点に加えるに短円筒の芯振れ防止のため円滑なゆれのないエレベータが完成されたこになる。
【発明を実施するための最良の形態】
【０００７】  外殻を垂直に建てた断面真円の円筒状長管とし、その内周に適正数列、垂直に大径の雌ネジ状にベアリングを配列し、その内面に、ネジ嵌合するように外形雄ネジ状に成型した短円筒を挿入して、短円筒を回転して昇降させ、その短円筒にローラー又はスラストベアリングを介して回転自在に乗降籠を取り付けるが、乗降籠には、回り止めを兼ねてベアリング列のカバーを乗降籠の天井と床板の結合柱とし、その乗降籠を外殻と同心円上で昇降させるために外殻内壁を垂直に転動するベアリングを介入させるについて、結合柱に適正数取り付けてもよく、上下するにはその乗降籠に設けたモーターにより短円筒を回転させるが、乗降籠を外殻の同心円上で上下させて、短円筒の回転芯振れをほぼ皆無にしている。
【図面の簡単な説明】
【０００８】
【図１】Ａは全体の構造を示す１部切り欠け斜視図Ｂは短円筒フレームの構造図
【図２】電線ケース斜視図
【図３】回動機構の斜視図
【実施例】
【０００９】適正材質で外殻として断面真円の円筒１．１．．．を計画高さまで積載し、適正雌ネジピッチで垂直に適正数列Ｂ．Ｂ．．位置にベアリングとりつけ穴２・２・・を設けた帯鉄もしくは適正角鋼材を設けでベアリングとりつけと共に外殻を内外より挟み込んで長円筒の重ねズレを、帯鉄のゲージ兼のベアリング取り付け穴２．２．．．によって防止する。、そのピッチで雌ネジ状にベアリング３・３・・をベアリング内輪径にマッチしたボルト４及びナット５で取り付け、その外輪が形成する雌ネジピッチ間にネジ嵌合するように外形が雄ネジ状に成型した短円筒Ｔを挿入設定し、この短円筒に回転自在に取り付けた乗降籠Ｈから、短円筒を回転させ昇降させるために、短円筒Ｔの回転のためのモーターＭは、天井板Ｓ及び床板Ｓ’を適正数の柱で結合した乗降籠の天井板Ｓ又は床板Ｓ’に取りつけるが、乗降籠の回り止めは、柱背面に取り付けたチャンネル状のベアリング列カバーＦでおこなっても良いがチャンネルＦそのものを柱としてもよい。その際左右両内側辺で同一ベアリングを挟み込まないよう、ベアリング取り付け穴を垂直列上で交互に若干千鳥状に穴あけて，  チャンネルＦの内側辺が昇降するについて、ベアリング外輪に密着スライドして回り止めとしている。短円筒６の軸芯はモーターＭの軸７にユニバーサルジョイントＵを介して取り付ける。昇降による電線のたるみは固定ローラーｒ−１・誘導ローラーｒ−２と錘Ｚで干渉して円筒外殻１の適正位置に垂直に設けた電線スリット溝Ｐをとおして電線８を殻内のモーターに電源として接続して追跡できるようにしているが、この伸縮機能は電線ケースＫ内でおこなうようにしている。短円筒Ｔの回転軸振れを防止するためにはモーター取り付けの乗降籠の安定度が最大の課題となるがこのために外殻１を断面真円の円筒状にしてその内周同心円上で乗降籠が上下するよう適正位置で適正数の端部に上下方向に回転するベアリングＧを装着した直径バーをｘｙ方向に乗降籠に取り付けるようにしたが、その機能のため今回はベアリングカバーＦもしくは短円筒フレームｆに適正数ベアリングＧ・Ｇ・・を取り付けている。短円筒乗降籠Ｈの内面のベアリングカバーＦの背面にはスイッチを設け、更に外殻外各階にもスイッチを設けてこれらを直列にして移動停止の指令を双方からモーターに伝えるようにする。又外殻には適正幅と高さで円筒内面に段差無きように開口した扉Ｄを設け、その開閉によりすべての電源をＯＦＦ・０Ｎする機能をもたせるようにして安全を確保している。更に短円筒が扉背面に停止しない限り扉Ｄは開けられないようにし、また扉が閉まらないとモーターが稼働できないように構成し、外殻のスイッチは短円筒の呼び出しスイッチ、乗降籠内のスイッチは行き先指定とモータ稼働のスイッチとして働かせる配線にしている。又適正ピッチで設けた足場Ｌ・Ｌ・・・によって緊急脱出出来るようにしている。尤も外殻と密着して回り階段を設けても良い。次にこの長円筒管列を並列して設けて両方を記述の内機が循環するタイプも可能で、その場合乗降籠を含めた内機が最上階Ｘー１最下階Ｘー２を過ぎた時点で外殻短管が乗降籠と共に回動するための空間Ｘー３・Ｘー４を設けてその位置に到達時にセンサーにより内機���回動モーターＭー１・Ｍー２により両長管列に回動出来るようにし、その場合センサーで最最上階及び最最下階で自動回動させるようにする。  尚重量物昇降の場合、モーター軸の剛性のみによる芯振れ防止が困難の危惧ある場合、短円筒を新たにフレームｆに装着して、外殻の内部に適正角の垂直柱ｋ・ｋ・・を帯鉄に代えて設けてその垂直柱の側面の短円筒の雄ネジレールの外側に短円筒フレームの垂直柱ｆ’・・・が上下出来るようにして、その垂直柱に乗降籠の柱を直結して、双方の柱に設けた芯振れを防止ベアリングＧ・Ｇ・・で防止しても良く、その場合垂直柱ｋの背面に真円円筒の切片として帯び鉄を設け、外殻全周の円筒を省いても良い。
【産業上の利用可能性】
【００１０】荷物の上下は勿論人間の上下にもその用途は頗る広く有効で、特にコンパクトで簡易に移動設置できる点他に類例を見ない。
【符号の説明】
【００１１】１．円筒外殻  ２．ベアリング取り付け穴  ３．ベアリング  ４．ボルト  ５．ナット  ６．短円筒軸  ７．モーター軸  ８．電線  Ｔ．短円筒  Ｍ．モーター  Ｓ．天井板  ｓ’床板  Ｕ．ユニバーサルジョイント  Ｈ．乗降籠  Ｆ．チャンネル形状のカバー兼乗降籠柱  Ｋ．電線ケース  Ｄ．ドアー  Ｂ．Ｂ．．ベアリング列  Ｍ−１．Ｍー２．回動モーター  Ｘ−１．最上階  Ｘー２．最下階  Ｘー３．最上階を過ぎた最最上階  Ｘー４．最下階を過ぎた最最下階  ｒ−１．固定ローラー  ｒ−２．誘導ローラー  Ｚ．錘  Ｌ．足場  Ｐ．電線スリット溝  Ｇ．芯振れ防止ベアリング  ｋ．角鋼管  ｆ．短円筒フレーム  ｆ’．短円筒フレーム結合垂直柱
【図１Ａ】
2011102188.tif 000003
【図１Ｂ】
2011102188.tif 000004
【図２】
2011102188.tif 000005
【図３】
2011102188.tif 000006